(57)【要約】      （修正有）【課題】遠隔検知した標的地帯の画像を表示する兵器照準システムを提供する。【解決手段】遠隔照準システムが、兵器１１０と、兵器１１０のディスプレイ１２０と、無線周波数（ＲＦ）受信機１４０と、兵器１１０から遠隔にあり、予測着弾点Ｂの画像メタデータを兵器のディスプレイ１２０上に提供するよう構成されたセンサ１５０と、複数の兵器および関連する弾薬に関する弾道情報を有するデータストアを含む照準装置１３０と、発射制御コントローラとを具えており、発射制御コントローラは、弾道情報、慣性測定ユニットから受信した高度データ、磁気コンパスから受信したアジマスデータ、位置特定要素から受信した位置データに基づいて予測着弾点Ｂを特定し、慣性測定ユニット、磁気コンパス、および位置特定要素と通信する。【選択図】図１
2019163928.tif 000002
【特許請求の範囲】
【請求項１】
発射制御コントローラと；
前記発射制御コントローラと通信し、高度データを前記発射制御コントローラに提供するよう構成された慣性測定ユニットと；
前記発射制御コントローラと通信し、アジマスデータを前記発射制御コントローラに提供することができる磁気コンパスと；
前記発射制御コントローラと通信し、位置データを前記発射制御コントローラに提供するよう構成された航法ユニットと；
前記発射制御コントローラと通信し、複数の兵器および関連する弾薬に関する弾道情報を有するデータストアと；
を具える装置であって、
前記発射制御コントローラが、記憶された前記弾道情報、提供された前記高度データ、提供された前記アジマスデータ、および提供された前記位置データに基づいて、選択された兵器および関連する弾薬の予測着弾点を特定することを特徴とする装置。
【発明の詳細な説明】
【技術分野】
【０００１】
関連出願の相互参照
本出願は２０１３年１０月３１日出願の米国仮特許出願第６１／８９８，３４２号の優先権および利益を主張するものであり、その内容は全ての目的のために本書に参照により援用されている。
【０００２】
複数の実施形態は概して、兵器システムおよび無人航空システム（ＵＡＳ）に係るシステム、方法、および装置に関するものであり、より具体的には、双方向で兵器の照準を定めるために遠隔検知した標的地帯の画像を表示することに関するものである。
【背景技術】
【０００３】
兵器の照準合わせは兵器を発射する火器オペレータによって通常実行される。間接的に兵器を発射するための兵器照準システムおよび発射制御システムは、オペレータに直接的な標的の光景を提供することはない。
【発明の概要】
【０００４】
装置が開示されており、当該装置は、発射制御コントローラと、発射制御コントローラと通信し、高度データを発射制御コントローラに提供するよう構成された慣性測定ユニットと、発射制御コントローラと通信し、アジマスデータを発射制御コントローラに提供することができる磁気コンパスと、発射制御コントローラと通信し、位置データを発射制御コントローラに提供するよう構成された航法ユニットと、発射制御コントローラと通信し、複数の兵器および関連する弾薬に関する弾道情報を有するデータストアとを具えており、これにより、発射制御コントローラは、記憶された弾道情報、提供された高度データ、提供されたアジマスデータ、および提供された位置データに基づいて、選択された兵器および関連する弾薬の予測着弾点を特定する。一実施形態では、発射制御コントローラは画像メタデータを遠隔センサから受信することができ、この画像メタデータは遠隔センサの中心視野（ＣＦＯＶ）の地上位置を含むことができ、ＣＦＯＶを特定した予測着弾点に向けることができる。発射制御コントローラは、遠隔センサから受信した画像メタデータに基づいてアイコンオーバーレイを決定することができ、このアイコンオーバーレイはＣＦＯＶの位置および特定した予測着弾点を含みうる。発射制御コントローラは、特定の兵器に関する距離の更なる予測に基づいて予測着弾点を特定することもでき、この距離は兵器弾薬の現在地と地上に着弾する地点との間の距離とすることができる。複数の実施形態はさらに、予測着弾点を特定するためにエリアの地形の視覚表示に関する情報を発射制御コントローラに提供するよう構成された地図データベースを具え、この発射制御コントローラは地図データベースの情報に更に基づいて予測着弾点を特定することもできる。
【０００５】
他の実施形態では、この装置はさらに、発射制御コントローラが予測着弾点を特定するために、予測着弾点の周辺領域の環境状態に関する情報を提供するよう構成された環境状態測定器を有する。このような実施形態では、発射制御コントローラは環境状態情報に更に基づいて予測着弾点を特定することができ、これにより、発射制御コントローラはさらに電磁放射を送受信するよう構成された電磁放射送受信機と通信するように構成される。電磁放射送受信機は、無線周波数（ＲＦ）受信機とＲＦ送信機とすることもできる。代替的な実施形態では、電磁放射送受信機はさらに、映像コンテンツと画像メタデータを遠隔センサから受信するように構成することができ、遠隔センサは画像メタデータを遠隔センサを収容する航空機上のセンサコントローラの通信装置を介して送信することができる。遠隔センサは航空機に搭載することができ、電磁放射送受信機はさらに情報を航空機のセンサコントローラに送信するよう構成することができる。発射制御コントローラは、特定した予測着弾点を含む情報を航空機のセンサコントローラに送信して、航空機に搭載された遠隔センサの照準を方向付けることができる。
【０００６】
他の実施形態では、弾道範囲測定器が、兵器位置、アジマス、高度、および弾薬の種類に基づいて予測着弾点を特定するように構成されうる。さらに、データストアは、ルックアップテーブル、１以上のアルゴリズム、ルックアップテーブルと１以上のアルゴリズムの組み合わせのうち少なくとも１つを含むデータベースとすることができる。この位置特定要素はさらに、地上ベースの位置特定要素；衛星ベースの位置算出要素；および地上ベースと衛星ベースの位置特定要素の組み合わせの少なくとも１つを含みうる。発射制御コントローラは、触覚反応要素；電気機械放射反応要素；電磁放射反応要素の少なくとも１つを含むユーザインタフェースと通信し、当該ユーザインタフェースは一組の指令をユーザインタフェースを介して受信して、受信した一組の指令を発射制御コントローラに送信するよう構成することができる。
【０００７】
他の実施形態では、この装置はさらに、ユーザインタフェースに生じる所定の活動を識別して記録選択するよう構成されたユーザインタフェースと、遠隔通信装置と通信する通信インタフェースの少なくとも一方を有する指令作成要素を具えることができ、遠隔通信装置は、使用者がユーザインタフェースで遠隔センサに対して予想した兵器照準位置に照準を定めることを要求するように、遠隔センサをセンサコントローラを介して方向付けるよう構成される。指令作成要素は、遠隔センサを収容する航空機と通信して指令を航空機に送信し、兵器照準位置を遠隔センサの視認範囲に維持し続けるようにすることができる。
【０００８】
遠隔照準システムがさらに開示されており、当該システムは、兵器と、兵器のディスプレイと、無線周波数（ＲＦ）受信機と、兵器から離れるセンサであって、兵器ディスプレイに予測着弾点の画像メタデータを提供するよう構成されたセンサと、照準装置であって、当該装置自体が、複数の兵器および関連する弾薬に関する弾道情報を有するデータストアと発射制御コントローラを有する照準装置と、を具えており、発射制御コントローラは、弾道情報、慣性測定ユニットから受信した高度データ、磁気コンパスから受信したアジマスデータ、および位置算出要素から受信した位置データに基づいて予測着弾点を特定し、発射制御コントローラは、慣性測定ユニット、磁気コンパス、および位置特定要素と通信する。遠隔センサは、無人航空機に搭載することができる。この照準システムは、兵器の位置や向きを特定し、弾道ルックアップテーブルを用いて兵器の予測着弾点をさらに特定することができる。遠隔センサは兵器の予測着弾点を受信し、センサの照準を兵器の予測着弾点に定めることができる。このシステムはさらに、第２の兵器、第２の兵器の第２のディスプレイ、および第２の照準装置を具えることもでき、これにより、遠隔センサによって提供される兵器ディスプレイ上の予測着弾点は、第２の兵器ディスプレイ上の予測画像位置と同じとなる。一実施形態では、第２の兵器は遠隔センサの制御を有さない。また、第２の兵器は第２の兵器の予測着弾点情報を遠隔センサに送信しなくともよい。特定した兵器の予測着弾点は、特定した第２の兵器の予測着弾点と異なる場合がある。センサは、ビデオ画像を遠隔照準システムに提供して兵器ディスプレイ上に表示するよう構成された光学カメラとすることができる。
【図面の簡単な説明】
【０００９】
複数の実施形態は例示として図示されたものであり、これらの実施形態を添付図面の形態に限定するものではない。
【図１】図１は、兵器照準システム環境の一実施形態である。
【図２】図２は、計算装置を搭載した手持ち型または搭載型の火器またはグレネードランチャーと、遠隔センサを有する無人航空機（ＵＡＶ）を具えるシステムの一実施形態である。
【図３】図３は、最初は標的および兵器の予測着弾点から離れて位置している、遠隔センサを有するＵＡＶの上面図を示している。
【図４】図４は、兵器照準システムの実施形態のフローチャートである。
【図５】図５は、例示的な兵器照準システムを示す機能ブロック図である。
【図６】図６は、予測着弾地点（ＧＰ）周囲の標的地帯を示し、中心視野を中心としたディスプレイまたは照準器付き兵器を有する兵器照準システムの一実施形態を示している。
【図７】図７は、ＵＡＶ上の遠隔カメラを制御するよう構成された兵器照準システムの実施形態を示している。
【図８】図８は、受動制御センサ／ＵＡＶ制御を有する兵器照準システムの一実施形態の例示的なディスプレイのセットを示している。
【図９】図９は、遠隔センサからの画像が兵器使用者の視点に対して回転した、あるいは回転していない実施形態を示している。
【図１０】図１０は、１つの遠隔センサから画像を受信している複数の兵器を有しうる兵器照準システムの実施形態を示している。
【図１１】図１１は、兵器が使用者によって操作されると兵器の予測着弾ＧＰが様々な領域を通過するシナリオを図示している。
【図１２】図１２は、計算装置の実施形態の例示的なトップレベル機能ブロック図を示している。
【発明を実施するための形態】
【００１０】
本書には兵器照準システムが開示されており、当該システムは火器データ計算機または弾道計算機と、発射制御コントローラと、通信装置と、任意で目標検出システムまたはレーダーを有することができ、これらは全て、兵器照準システムが特定した標的をより迅速かつ正確に攻撃するのに役立つように設計されている。例示的な兵器照準システムの実施形態では、双方向に兵器の照準を定めるために遠隔検知した標的地帯の画像を表示して、兵器の弾薬を標的地帯に向けて精確に狙いを定めることができる。一実施形態は、無人航空機（ＵＡＶ）のような無人航空システム（ＵＡＳ）を含みうる。ＵＡＶは固定翼機であってもよく、ＵＡＶが相対的な静止位置でホバリングできるようにするためにシャシーに接続された１以上のプロペラを有していてもよい。さらに、ＵＡＶはセンサを有することができ、このセンサは兵器照準システムに対して遠隔にあり、このセンサは画像取込装置とすることができる。センサは、識別した標的周辺地帯の視認範囲を有するように狙いを定めることができる。ＵＡＶ上のセンサは、異なる発生源、例えば、ＵＡＶのパイロットあるいは地上オペレータから受信した命令によって動かすことができる。このセンサをさらに、地上オペレータから受信した方向に基づいて継続的に、特定の標的に焦点を合わせるように命令することができる。
【００１１】
兵器照準システムの一実施形態では、システムを使用して、兵器の使用者に、兵器の標的地帯、例えば、特定あるいは計算した兵器の着弾するかもしれない場所の周辺地帯を、兵器から遠隔にあるセンサから見るように表示することができる。これにより、使用者は、リアルタイム（または、ほぼリアルタイム）で標的地帯内での兵器の効果を見て、兵器に対して照準調整をすることが可能となる。兵器の照準合わせを補助するために、ディスプレイは、ディスプレイ上の標的地帯の範囲内に、例えば、レチクル、十字線、または誤差概算楕円／領域といった表示を用いて特定あるいは予測した着弾地を示すことができる。遠隔センサを使用することにより、標的が丘などの障害物の後側に位置している場合など、使用者から標的まで直接的な見通しがなくとも標的と交戦させることができる。遠隔センサは、様々なプラットフォームによって担持されうる様々な既知のセンサとすることができる。幾つかの実施形態では、このセンサは、兵器から離れて配置され、標的の周辺地帯の視認範囲内にある航空機に搭載されたカメラとすることができる。このような航空機は、小型無人航空システム（ＳＵＡＳ）といったＵＡＶとすることができる。
【００１２】
図１は、兵器１１０と、ディスプレイ１２０と、照準装置１３０と、通信装置１４０と、遠隔センサ１５０と、遠隔通信装置１６０と、センサコントローラ１７０とを有する兵器照準システム環境１００を図示している。さらに、標的Ａ、予想兵器効果位置あるいは予測照準位置Ｂ、視認標的地帯Ｃ、および実際の兵器効果Ｄを示している。この兵器照準システム環境１００はさらに、丘などの一連の障害物、兵器を回転させるための兵器台、および遠隔センサ１５０と、遠隔通信装置１６０と、センサコントローラ１７０とを搭載できる航空機１８０を含みうる。
【００１３】
兵器１１０は、グレネードランチャー、迫撃砲、大砲、戦車砲、シップ砲、甲板砲、あるいは砲弾を発射して兵器効果位置に衝突するその他の兵器といった種々の兵器とすることができる。幾つかの実施形態では、兵器１１０は移動することができ、砲や当該兵器に関連する弾薬と共に容易に移動できるようにする。照準装置１３０は磁力計、ジャイロスコープ、加速度計、磁気コンパスを含む慣性計測装置（ＩＭＵ）、および航法システムを有することができ、航法システムは全地球測位システム（ＧＰＳ）であってもよく、兵器１１０の位置や向きを特定する。ユーザが兵器１１０を操作または配置すると、照準装置１３０は兵器の位置をモニタし、それにより、兵器が向いている方向（これはコンパス向首方向となりうる）、および、兵器の向き、例えば、地表に対して平行な局所水平面に対する兵器の角度を特定する。さらに、照準装置は、兵器やその砲弾の特徴に基づいて、弾道計算機、ルックアップテーブル等といった標的特定手段１３２を使用し、特定した兵器効果地点を提供することができる。兵器効果地点は予想した砲弾衝突地点であってもよく、これが予想した兵器効果位置となりうる。標的特定手段１３２は高度情報を有するデータベースあるいは地図を参照して、より精確な兵器効果位置あるいは予測標的位置Ｂの特定ができるようにしてもよい。標的位置情報はその位置の経度、緯度、および高度を含んでもよく、さらに標的位置周辺またはその付近の天候状況といった誤差値をさらに含んでもよい。
【００１４】
複数の実施形態では、照準装置１３０は例えば、大韓民国ソウル、サムソンタウンのサムソングループ（ニュージャージー州リッジフィールドパーク、米国Ｓａｍｓｕｎｇ  Ｅｌｅｃｔｒｏｎｉｃｓ経由）から市販されているＮｅｘｕｓ７、カリフォルニア州クパチーノのアップル社から市販されているｉＰａｄ、あるいは台湾台北市のＡＳＵＳＴｅＫ  Ｃｏｍｐｕｔｅｒ社（カリフォルニア州ＡＳＵＳ  Ｆｒｅｍｏｎｔ経由）から市販されているＮｅｘｕｓ７といった、慣性測定ユニットを有するタブレットコンピュータとすることができる。
【００１５】
標的地点Ｂに関する標的位置情報は、次に通信装置１４０を介してセンサコントローラ１７０に接続された遠隔通信装置１６０に送信することができ、ここでセンサコントローラ１７０は遠隔センサ１５０を方向付けることができる。一実施形態では、通信装置１４０は標的情報を遠隔通信装置１６０を介してＵＡＶ地上制御局に送信することができ、次いでＵＡＶ地上制御局は標的情報を遠隔通信装置１６０に返信し、遠隔通信装置１６０はそれをセンサコントローラ１７０に送ることができる。遠隔センサ１５０は次に、予想した兵器照準位置Ｂを視認するように狙いを定めることができ、この予想した兵器照準位置Ｂは当該位置周辺の隣接地帯を含みうる。この位置周辺の隣接地帯は、視認標的地帯Ｃとして図１に図示されている。遠隔センサ１５０の狙いを定めるための制御はセンサコントローラ１７０によって決定することができ、ここで、センサコントローラ１７０はプロセッサとアドレス指定可能なメモリを有し、遠隔センサ１５０の位置、遠隔センサ１５０の向き、すなわちそのコンパス方向、および水平面に対する角度を利用して、センサが地上のどこに狙いを定めているかを特定することができ、その狙いは画像中心、画像境界、あるいは画像中心と画像境界の両方とすることができる。一実施形態では、遠隔センサ１５０の位置はＵＡＶの機上ＧＰＳセンサから任意に取得することができる。他の実施形態では、センサの向き、例えば、コンパス方向や水平面に対する角度は、ＵＡＶの向きおよび水平面に対する角度と、ＵＡＶに対するセンサの向きおよび角度によって特定することができる。幾つかの実施形態では、センサコントローラ１７０は、センサが予想した兵器照準位置Ｂおよび／または視認標的地帯Ｃに狙いを定めるようにすることができる。任意で、センサコントローラ１７０による遠隔センサ１５０の照準合わせは、センサの拡大を含みうる。
【００１６】
複数の実施形態では、通信装置１４０は、例えば、カリフォルニア州モンロビアのＡｅｒｏＶｉｒｏｎｍｅｎｔ社から市販されているような地上制御局（ＧＣＳ）（http://www.avinc.com/uas/small_uas/gcs/）に接続することができ、例えば、カリフォルニア州モンロビアのＡｅｒｏＶｉｒｏｎｍｅｎｔ社から市販されているデジタルデータリンク（ＤＤＬ）送受信機の双方向デジタルワイヤレスデータリンク（http://www.avinc.com/uas/ddl/）を含みうる。
【００１７】
幾つかの実施形態では、遠隔通信装置１６０および遠隔センサ１５０は、有人航空機あるいは無人航空機（ＵＡＶ）１８０にかかわらず、標的地帯Ｃの視認距離内を飛行する衛星あるいは航空機といった飛行マシンに搭載することができる。ＵＡＶ１８０は、固定翼機、ヘリコプター、クワッドローター、小型飛行船、係留気球等の様々な既知の航空機とすることができる。ＵＡＶ１８０は、ＧＰＳモジュール等の位置特定装置１８２、およびＩＭＵおよび／またはコンパス等の向きまたは方向特定装置１８４を有しうる。ＧＰＳ１８２およびＩＭＵ１８４はデータを制御システム１８６に提供してＵＡＶの位置および向きを特定し、次に予想した兵器標的地点Ｂと共に使用して、遠隔センサ１５０を方向付けて位置Ｂを視認することができる。幾つかの実施形態では、センサコントローラ１７０は、制御システム１８６から受信したデータおよび兵器照準システムから受信した予想兵器標的地点に基づいて、遠隔センサ１５０を動かす、すなわち傾けたり、首振りをしたり、拡大させることができる。
【００１８】
一実施形態では、ＩＭＵ１８４あるいは制御システム１８６のいずれかは、ＵＡＶ１８０の姿勢、すなわち、ピッチ、ロール、ヨー、位置、およびヘディングを特定することができる。一旦特定をすると、ＩＭＵ１８４（またはシステム１８６）はデジタル地形高度データ（ＤＴＥＤ）（ＵＡＶ機上のデータベースなどのデータストアに保存されている）の入力を利用して、特定の地球基準のグリッド位置（位置Ｂなど）が機体などのＵＡＶ上の基準に対してどこに位置してるかを特定することができる。この実施形態では、この情報がセンサコントローラ１７０によって使用され、ＵＡＶの機体に対して所望の標的位置に狙いを定めるように遠隔センサ１５０を位置付けることができる。
【００１９】
標的位置Ｂにカメラを向けることに加えて、ＵＡＶのオペレータ（ＶＯ）が許可した場合には、ＵＡＶは標的位置Ｂを中心とした軌道に乗るように試みることもできる。ＶＯは、火器上のディスプレイによって特定された位置に基づいて、ＵＡＶが安全に飛行できる安全エアボリュームを特定することが理想的である。幾つかの実施形態では、このシステムは、実際の位置がＵＡＶ軌道の中心とするのに所望の標的位置にない場合には、火器オペレータがＵＡＶにとって飛行するのが望ましい「ステアフロム」位置を特定することが可能である。さらに、安全エアボリュームは、選択された地理的領域を規定する地理データと、任意で選択された地理的領域に関連する動作モードを受信することに基づいて特定することができ、ここで、受信した動作モードは安全エアボリューム外となりうるエアボリューム上空をＵＡＶが飛行するのを制限することができる。すなわち、ＶＯは、選択された地理的領域と受信した動作モードに基づいてＵＡＶの飛行を制御することができる。したがって、一実施形態では、兵器のオペレータは、ＵＡＶの動作と飛行経路を完全に制御することが可能となる。さらに、地上オペレータあるいはＵＡＶのパイロットは、ＵＡＶの画像データに基づいて標的を向くように兵器に指令を出し、兵器を方向付けることができる。
【００２０】
兵器システムからＵＡＶあるいはセンサへの指令は、例えば、カーソルオンターゲット（ＣｏＴ）、ＳＴＡＮＡＧ４５８６（ＮＡＴＯの無人制御システム標準インタフェース−無人航空機の相互運用）、あるいは無人システム用統合アーキテクチャ（ＪＡＵＳ）を含む任意の指令言語を介して送信することができる。
【００２１】
遠隔センサ１５０の視野は、所与の時間で取り込まれる観察可能な地帯の範囲として規定することができる。したがって、センサ１５０の中心視野（ＣＦＯＶ）は、表示した兵器標的位置Ｂを指すことができる。ユーザは手動で標的地点Ｂの画像を拡大または縮小撮影して、周囲の標的地帯と標的を含む予想した兵器着弾地に関する最適表示を得ることができる。遠隔センサ１５０は画像データを取り込み、センサコントローラ１７０は遠隔通信装置１６０を介して関連するメタデータと共に取り込んだデータを送信することができる。幾つかの実施形態におけるメタデータは、遠隔センサ１５０によって取り込まれた画像に関連し、かつ付随する他のデータを含みうる。一実施形態では、画像に付随するメタデータは実際のＣＦＯＶを示すことができ、例えば、表示位置および送信される画像の各角部の実際のグリッド位置へと未だに回転している状態とすることができる。これにより、ディスプレイは、予想兵器標的地点Ｂが画像上のどこにあるかを示し、その場所に十字線などのレチクルを描くことができる。
【００２２】
幾つかの実施形態では、遠隔センサ１５０は、ＵＡＶに対して首振り動作をしたり、傾くことができるように、ジンバルに搭載された光学カメラとすることができる。他の実施形態では、センサ１５０はＵＡＶの固定位置に搭載された光学カメラとすることができ、ＵＡＶはカメラが標的地帯Ｃを視認した状態に維持するように配置される。遠隔センサには、光学またはデジタル拡大機能を装備させることができる。一実施形態では、ＵＡＶ上に赤外線または光学波長を含む複数のカメラがあってもよく、オペレータは任意で切り替えることができる。複数の実施形態によると、遠隔センサ１５０によって生成された画像は、遠隔通信装置１６０によって通信装置１４０を介してディスプレイ１２０に送信することができる。一実施形態では、ＣＦＯＶおよびグリッド位置のような表示の各角部、例えば各地点の地上経度、緯度、高度を含む情報を提供する画像メタデータなどのデータは、遠隔センサ１５０から画像と共に送信することができる。ディスプレイ１２０は、兵器の使用者に、図１に示すような予想した兵器標的地点Ｂを含む視認標的地帯Ｃを表示することができ、このディスプレイはＣＦＯＶとして照準レチクルとすることができる。幾つかの実施形態では、兵器１１０が移動していたり、遠隔センサ１５０が回転している、例えば、傾いている、および／または偏揺れして、新たな位置Ｂを捕捉し、ＣＦＯＶを新たな位置に再度位置決めするような場合に、予想標的地点ＢをＣＦＯＶとは別個に示すことができる。このように、使用者が兵器１１０を操作する、例えば、兵器を回転させる、および／または角度を変えると、使用者は、兵器１１０の予想標的地点Ｂがどこにあるかを、遠隔センサ１５０で視認するようにディスプレイ１２０上で見ることができる。これにより、兵器使用者は、標的が障害物の後側に位置している状態にあるように、兵器から照準位置Ｂまでの直接的な見通しがなくとも照準位置、すなわち、標的と兵器の着弾を見ることが可能となる。
【００２３】
一実施形態では、使用者を補助するために、表示された画像をディスプレイに対して回転させてコンパス方向と整合するようにすることができ、これにより、兵器は、例えば、北が常にディスプレイの上側となるように、規定した固定方向に向けられる。画像は、ＵＡＶあるいは遠隔センサの他の取付台の位置に関わらず、兵器使用者の向きと一致するように回転させることができる。複数の実施形態では、ディスプレイ上の画像の向きは、照準装置、例えば発射制御計算機によって計算されるような砲身あるいは迫撃砲管の砲孔発射方位によって制御される。幾つかの実施形態では、ディスプレイ１２０はさらに、視認標的地帯Ｃ範囲内の兵器の位置を示すこともできる。
【００２４】
複数の実施形態では、遠隔通信装置１６０、遠隔センサ１５０、およびセンサコントローラ１７０は、例えば、カリフォルニア州モンロビアのＡｅｒｏＶｉｒｏｎｍｅｎｔ社から市販されている、人を収容可能な小型垂直離着陸航空機（ＶＴＯＬ  ＭＡＶ）システムであるシュライクＶＴＯＬ（http://www.avinc.com/uas/small_uas/shrike/）に全て組み込むことができる。
【００２５】
さらに、照準システムの幾つかの実施形態は、照準誤差修正を有することができる。一実施形態では、航空機の風予想が弾薬の着弾予想と共に使用されるライブ映像として提供され、より正確な誤差修正をもたらす。兵器の弾薬の実際の着弾地上地点が予想着弾地上地点（ＧＰ）からずれている場合、兵器の位置を変更することなく、使用者はディスプレイ上で実際の着弾ＧＰを強調させることができ、照準システムは修正値を特定して予想着弾ＧＰの特定にそれを適用し、この新たな予想ＧＰを遠隔センサに提供して、兵器ディスプレイ上に表示させることができる。このような一実施形態が図１に図示されており、ディスプレイ１２０では、実際の着弾地点Ｄが予想着弾ＧＰ  Ｂからオフセットしている。この実施形態では、使用者は地点Ｄを強調して、照準システムにその地点を実際の着弾地点として入力して照準誤差修正を提供する。したがって、標的着弾地点は、第１の弾薬の着弾を追跡し、次いで標的上に兵器を調整することによって修正することができる。誤差修正または較正をする他の実施形態では、このシステムは、着弾前後の着弾地点を表す受信画像への画像処理を用いて、着弾地点を検出することができる。この実施形態は、使用した弾薬に関して計算した飛行時間の特定に基づいて着弾が発生したという宣言をいつすることができるかを特定することができる。このシステムは次いで、弾薬に関して予想した着弾エリアと、発射された最終的な実際の弾薬に基づいて位置を調整することができる。
【００２６】
図２は、タブレットコンピュータ２２０のような、ビデオディスプレイ２２２、慣性測定ユニット（ＩＭＵ）２３０、および弾道範囲モジュール２３２を有する手持ち型あるいは搭載型の銃器またはグレネードランチャー２１０と、通信モジュール２４０と、画像センサ２５２などの遠隔センサを有するＵＡＶ２５０とを含む実施形態を示している。ＵＡＶ２５０はさらに、ＧＰＳなどの航法ユニット２５４と、センサ２５２がＵＡＶ２５０に対して首振り動作をしたり傾くことができるようにジンバル２５６に搭載されたセンサとを有しうる。ＩＭＵ２３０は、加速度計、ジャイロ、エンコーダ、あるいは磁力計の組み合わせを用いて、兵器２１０のアジマスや高度を特定することができる。ＩＭＵ２３０は、タブレットコンピュータ２２０のハードウェアモジュール、姿勢を測定する自立装置、あるいは兵器搭載装置における一連の位置センサを有しうる。例えば、幾つかの実施形態では、ＩＭＵは、タブレットコンピュータ２２０のセンサを読み込むことによって装置の速度、向き、および重力を測定し、それらを通知する電子装置を使用することができる。
【００２７】
弾道範囲モジュール２３２は、兵器の位置（すなわち、緯度、経度、高度）、アジマス、高度、および弾薬の種類を鑑みて、推定または予測着弾点を算出する。一実施形態では、この予測着弾点は、風予想の算出を含む弾道範囲モジュールによってさらに改善することができる。弾道範囲モジュール２３２は、タブレットコンピュータ内のモジュール、あるいは別個のプロセッサとメモリを有する独立したコンピュータとすることができる。この算出は、兵器の範囲実験に基づいて構成されたルックアップテーブルによってなされる。弾道範囲モジュールの出力は、予測着弾点Ｂ（すなわち、緯度、経度、高度）を含む一連のメッセージとすることができる。弾道範囲モジュール２３２は、タブレット２２０にアプリケーションプログラムとしてダウンロードできる非一時的なコンピュータ利用可能な指令の形態とすることができる。
【００２８】
通信モジュール２４０は、推定または予測着弾点をＵＡＶ２５０にＲＦリンクなどの無線通信リンクを介して送信することができる。通信モジュール２４０は、計算装置、例えば、振動、落下、限界温度、および他の乱暴な取り扱いに耐えるように設計された計算装置とすることができる。通信モジュール２４０は、ＵＡＶの地上制御局、またはカリフォルニア州モンロビアのＡｅｒｏＶｉｒｏｎｍｅｎｔ社から市販されているポケットＤＤＬ  ＲＦモジュールに接続する、または通信することができる。一実施形態では、着弾地点メッセージは、「カーソルオンターゲット」のフォーマット、地理空間グリッド、あるいは他の緯度と経度の書式とすることができる。
【００２９】
ＵＡＶ２５０は、ＲＦメッセージを受信し、兵器から離れている画像センサ２５２が予測着弾点Ｂに照準を定めるようにすることができる。一実施形態では、画像センサ２５２は、映像をＵＡＶのＲＦリンクに介して通信モジュール２４０に送信する。一実施形態では、映像やメタデータを、モーション画像基準審議会（ＭＩＳＢ）フォーマットで送信することができる。通信モジュールは次に、この映像ストリームをタブレットコンピュータ２２０に返信することができる。ビデオプロセッサ２３４を有するタブレットコンピュータ２２０は映像を回転させて、砲手の基準フレームに位置合わせさせると共に、砲手に映像内の予測着弾点Ｂを表示するレチクルのオーバーレイを加える。砲手が見る画像の上部が、砲２１０が指しているコンパス方向、あるいは代替的に砲のアジマスから特定されるコンパス方向、あるいは標的地点と砲位置の間のコンパス方向と一致するように、ビデオ画像を回転させることができる。
【００３０】
幾つかの実施形態では、兵器２１０の使用者に提供されるタブレットコンピュータ２２０のビデオディスプレイ２２２上に表示されるビデオ画像は、予測着弾点Ｂと、算出した誤差楕円Ｃを含みうる。さらに、ビデオ画像２２２にはＵＡＶの中心視野（ＣＦＯＶ）Ｄが示される。
【００３１】
一実施形態では、センサまたはカメラのジンバルを予測着弾点に向かって自動的に方向づけることに加えて、ＵＡＶはさらに予測着弾点に向かって飛行する、あるいはその周辺にＵＡＶを位置付けることができる。予測着弾点に向かう飛行は、ＵＡＶが最初（予測着弾点の座標を受信したとき）に、予測着弾点が視認する、あるいはＵＡＶのセンサによる十分な解像度を用いて視認するには距離が離れすぎている位置にある場合に起こりうる。さらに、予測着弾点を利用して、ＵＡＶは当該ＵＡＶに対する保持パターンあるいは保持位置を自動的に確立することができ、このような保持パターン／位置により、ＵＡＶのセンサが観察範囲内かつ障害物の範囲外にあるようにすることができる。このような保持パターンは、ＵＡＶを固定サイドビューカメラまたはセンサが予測着弾点を視認した状態に維持することができるように配置するようなパターンとすることができる。
【００３２】
図３は遠隔センサ３１２を有するＵＡＶ３１０の上面図を示しており、当該ＵＡＶ３１０は最初に標的３０４および兵器３０２の予測着弾点Ｂから離れて位置しており、そのため、予測着弾点Ｂと標的地帯（おそらくは、標的３０４を含む）の画像がセンサ３１２によって生成されるが、画像線３２０に示すように、センサは使用者にとって十分有用な兵器３０２の照準を提供するのに十分な解像度を欠いている。そのため、ＵＡＶ３１０はその航路を変更して、より予測着弾点Ｂに近づくようにセンサを移動させることができる。この航路変更は、ＵＡＶが追随するように設定された場合には自動であってもよく、兵器３０２によって制御されてもよく、あるいは航路変更は兵器の使用者から要求あるいは命令された時にＵＡＶオペレータによってなされてもよい。一実施形態では、ＵＡＶの制御をＵＡＶオペレータによって維持することにより、空域制限、ＵＡＶの航続時間、ＵＡＶの安全性、任務の割り当てなどといった要因を考慮したり、それらの要因に対応したりすることが可能となる。
【００３３】
図３に示すように、ＵＡＶは右ターンを実行し、予測着弾点Ｂに向かって前進する。兵器照準システムの幾つかの実施形態では、ＵＡＶは、航路線３４０に示すように、予測着弾点Ｂから距離ｄだけ離れている特定の位置Ｃまで飛行することができる。この移動により、センサ３１２は予測着弾点Ｂを適切に観察すると共に、兵器３０２の照準を標的３０４に定めることが可能となる。距離ｄは変化させることができ、例えば、拡大、解像度、安定性等のセンサ３１２の機能、解像度等の兵器３０２の表示スクリーンの機能、画像を利用する使用者の能力、さらにはＵＡＶを標的にどれだけ接近して配置すべきかといった要因を含む様々な要因に左右されうる。この実施形態では、位置Ｃに到達したＵＡＶは次いで、ＵＡＶ自体を保持パターンまたは観察位置３５０に配置させて、予測着弾点Ｂを視認し続けることができる。図示のように、保持パターン３５０は予測着弾点Ｂ周囲の円形であり、他のパターンもこれらの実施形態に応じて使用される。ＵＡＶ３１０’が保持パターン３５０にある状態では、ＵＡＶは継続的にセンサ３１２’を再配置して、予測着弾点Ｂの視界３２２を維持することができる。すなわち、ＵＡＶが標的の周囲を飛行している間、センサは予測着弾点位置を見ている、あるいは当該位置を追跡する。この実施形態では、保持パターンの期間中、ＵＡＶはビデオ画像を兵器３０２に返信することができる。兵器３０２の使用者が兵器の照準を再配置すると、ＵＡＶは再度センサ３１２’の照準を定める、および／またはＵＡＶ３１０’自体を再配置して、新たな予想兵器照準位置をセンサの視界に維持することができる。一実施形態では、遠隔センサは任意に、予想照準位置が標的と一致するように、兵器を誘導している間に標的を視認していることができる。
【００３４】
図４は、兵器照準システム４００の実施形態のフローチャートである。本図に示す方法は：例えば、兵器を使用者によって定位置に配置すること（ステップ４１０）；照準装置が予想兵器効果位置を特定すること（ステップ４２０）；通信装置が予想兵器効果位置を遠隔通信装置に送信すること（ステップ４３０）；遠隔センサコントローラが効果位置を遠隔通信装置から受信して、遠隔センサを効果位置へと方向付けること（ステップ４４０）；センサが効果位置の画像を兵器ディスプレイスクリーンに遠隔通信装置および兵器通信装置を介して送信すること（ステップ４５０）；使用者が予想兵器効果位置および標的地帯（標的を含みうる）を視認すること（ステップ４６０）、を含む。効果位置は、誤差を伴う、あるいは伴うことなく、着弾地点を算出、予測、あるいは見積もることができる。ステップ４６０の後、このプロセスはステップ４１０からやり直すことができる。このようにして、使用者は、兵器の照準を定めて、既に受信した効果位置の画像に基づいて標的上あるいは標的に対する発射を調整することができる。一実施形態では、ステップ４５０は、画像が兵器の方向と合うように画像を回転させて、使用者の照準合わせを補助することを含みうる。
【００３５】
図５は兵器照準システム５００の機能ブロック図を示しており、当該システムは、ディスプレイ５２０と、照準装置５３０と、ＵＡＶ遠隔ビデオ端子５４０と、ＲＦ受信機５４２とを具えている。ディスプレイ５２０および照準装置５３０は、火器または他の兵器（図示せず）に脱着可能に取り付け、あるいは装着され、またはそれらと共に動作しうる。ディスプレイ５２０は、兵器の使用者が照準合わせや発射の方向付けを容易にできるように見やすいものとすることができる。照準装置５３０は、プロセッサとアドレス指定可能なメモリを有する発射制御コントローラ５３２、ＩＭＵ５３４、磁気コンパス５３５、ＧＰＳ５３６、および火器および弾薬データベース５３７（すなわち、データストア）上の弾道データを有しうる。ＩＭＵ５３４は兵器の高度位置または水平面からの角度を発生させて、この情報を発射制御コントローラ５３２に提供する。磁気コンパス５３５は、兵器が狙いを定めるコンパス向首方向といった兵器のアジマスをコントローラ５３２に提供する。ＧＰＳ５３６のような位置特定要素は兵器の位置を発射制御コントローラ５３２に提供し、この位置は一般に緯度、経度、および標高（または高度）を含む。データベース５３７は、兵器およびその弾薬（砲弾）の双方に関する弾道情報を発射制御コントローラ５３２に提供する。データベース５３７は、ルックアップテーブル、１以上のアルゴリズム、またはその両方とすることができるが、通常はルックアップテーブルが提供される。発射制御コントローラ５３２は、ＩＭＵ５３４、コンパス５３５、ＧＰＳ５３６、およびデータベース５３７と通信することができる。
【００３６】
さらに、発射制御コントローラ５３２は、構成要素、すなわちＩＭＵ５３４、コンパス５３５、およびＧＰＳ５３６からの兵器の位置および向きの情報を利用して、データベース５３７からの兵器および弾薬の弾道データと共に処理し、推定あるいは予想地上着弾点（図示せず）を特定することができる。幾つかの実施形態では、コントローラ５３２は、ＩＭＵ５３４からの兵器の高度を利用して、規定の種類の兵器や弾薬と共に、データベース５３７のルックアップテーブルを介して処理し、弾薬が地上との衝突地点まで移動することになる兵器からの予想範囲または距離を特定することができる。兵器や弾薬の種類は、兵器の使用者が兵器を動作させる前に設定することができ、幾つかの実施形態では、弾薬の選択を兵器の使用時に変更することができる。一旦距離が特定されると、発射制御コントローラ５３２は、ＧＰＳ５３６からの兵器位置と、コンパス５３５からの兵器のアジマスを利用して、予測着弾点を特定することができる。さらに、コンピュータ５３２は、ＲＦ受信機５４２あるいはＵＡＶ遠隔ビデオ端末（ＲＶＴ）５４０から受信した、ＵＡＶからの画像メタデータを利用することができ、このメタデータは例えば、光学カメラ（図示せず）などの遠隔センサのＣＦＯＶの地上位置を含むことができ、システム５００に返信したビデオ画像の一部または全ての角部の地上位置を含むこともできる。発射制御コントローラ５３２は次いでこのメタデータと予測着弾点を利用して、ディスプレイ５２０上に示されるアイコンオーバーレイ５３３を作り出すことができる。このオーバーレイ５３３は、ＣＦＯＶと予測着弾点Ｂの位置を含むことができる。
【００３７】
発射制御コントローラ５３２の幾つかの実施形態は、接続されている上記構成要素によってもたらされた誤差入力を利用して、ディスプレイ５２０上に予測着弾点周囲の誤差領域（楕円等）を特定して表示することができる。一実施形態では、発射制御コントローラ５３２は、予想着弾ＧＰ５４５をＲＦ送信機５４２および関連するアンテナを介してＵＡＶに送信して、ＵＡＶ上の遠隔センサを向くべき場所へと方向付けて画像を取り込むこともできる。一実施形態では、発射制御コントローラ５３２は要求を中継物に送信することができ、この要求は、発射制御コントローラ５３２のオペレータが視認することを所望する標的地点や、ＵＡＶ上のセンサからの画像を受信するための要求を含む。
【００３８】
さらに、幾つかの実施形態では、発射制御コントローラ５３２はさらに、地図データベース５３８からの入力も含み、予測着弾ＧＰを特定することができる。予測着弾ＧＰの精度は、兵器と予測着弾ＧＰとが異なる標高、あるいは地表からの高さに位置している場合などの状況では、地図データベースを利用することで向上させることができる。他の実施形態は、入力として受信して発射制御コントローラ５３２で使用することができる環境状態データ５３９を含みうる。環境状態データ５３９は、風速、空気密度、温度等を含みうる。少なくとも１つの実施形態では、発射制御コントローラ５３２は、ＩＭＵやＵＡＶから受信した風予測などの環境状態によって提供されるような、兵器状態の推定に基づいて、弾薬軌道を算出することができる。
【００３９】
図６は兵器照準システム６００の一実施形態を図示しており、当該システムは、例えば、迫撃砲、大砲、あるいはグレネードランチャーといった兵器６１０を有すると共に、ディスプレイあるいは照準器６２０を有しており、予想着弾ＧＰ  Ｂの周囲の標的地帯Ｃを表示し、ジンバルカメラ６５０を有するＵＡＶ６８０によって視認されたときのＣＦＯＶ  Ｄを中心としている。ＵＡＶ６８０は、カメラ６５０を送信機／受信器６６０によって兵器６１０から受信した予想着弾ＧＰ  Ｂに方向付けるジンバルカメラのコントローラ６７０を有している。一実施形態では、ＵＡＶは、電気光学（ＥＯ）画像および赤外線（ＩＲ）フルモーションビデオ（ＥＯ／ＩＲ）画像にＣＦＯＶを提供することができる。すなわち、送信機／受信器６６０は、センサまたはカメラ６５０からディスプレイ６２０へと映像を送信することができる。兵器照準システムの複数の実施形態においては、兵器と遠隔センサの間の相互作用に関して２つのオプション、すなわちセンサの能動制御または受動制御がある場合がある。能動制御の実施形態では、火器または兵器位置がセンサあるいはカメラを制御することができ、カメラは着弾場所にＣＦＯＶを据えるように回転し、さらに当該カメラは実際の拡大機能についての制御をもたらす。受動制御の実施形態では、ＵＡＶのオペレータがセンサまたはカメラを制御することができ、そのため、着弾場所はカメラの視野範囲内にあるときにのみ現れることができる。この受動制御の実施形態では、カメラの拡大機能を利用することはできないが、カメラから受信した圧縮データ（または他のビデオ処理）を拡大効果を得るために利用することができる。
【００４０】
能動制御を伴う実施形態では、兵器のオペレータはセンサの制御を管理している。照準システムは予測着弾地点（ＧＰ）の座標を遠隔センサコントローラに送信する（カーソルオンターゲット（ＣｏＴ）メッセージを含む様々なメッセージフォーマットの何れかによってなされうる）。遠隔センサコントローラは、カメラのＣＦＯＶに関する指令として予測着弾ＧＰを利用する。遠隔センサコントローラは次に、カメラの中心をこの予測着弾ＧＰとする。兵器の位置決めするときと、センサが回転してその視界の中心を予測着弾点とするときの間に時間のずれが存在する場合には、発射制御コントローラなどの照準装置は、ＣＦＯＶが実際に予想着弾ＧＰと整合するまで表示画像上に十字線などのレチクルをグレー表示し、ＣＦＯＶに向かって移動するにつれて、予想着弾ＧＰを画像上に表示させる。幾つかの実施形態では、兵器の砲身の向きはＵＡＶの中心視野の動きに変化をもたらすことができ、その結果、兵器のオペレータは着弾照準ディスプレイ６２０上に現れる複数の標的を素早く探し出して、識別することが可能となる。
【００４１】
図７は兵器照準システムの実施形態を図示しており、当該照準システムはＵＡＶ上の遠隔カメラを制御するように構成されている。ディスプレイ７１０は、表示中央におけるＣＦＯＶ  Ｅの左上に予測着弾ＧＰ  Ｂを示している。ディスプレイ７１０では、カメラは予測着弾点ＧＰに向かって回転している過程にある。ディスプレイ７２０では、予測着弾ＧＰ  Ｂが画像の表示中央におけるＣＦＯＶ  Ｅと一直線になっている。ディスプレイ７３０は、予測着弾ＧＰ  Ｂがカメラの視界の外、すなわち図示した画像の左上にある状態を示している。この場合、センサまたはカメラの何れかはＧＰ  Ｂを視認するように未だ回転していないか、回転することができない。これは、センサのジンバル取付台の傾き、および／または回転の限界といった要因によることがある。一実施形態では、ディスプレイ７３０は矢印Ｆあるいは他の記号を図示し、この矢印は予測着弾ＧＰ  Ｂの位置に向かう方向を表示することもできる。こうして、使用者は、彼らが兵器の照準を合わせている場所の少なくとも概略表示を得ることが可能となる。
【００４２】
受動制御を伴う実施形態では、兵器の使用者は遠隔センサからの画像表示を有することができるが、遠隔センサ、ＵＡＶあるいは遠隔センサを保持する他の手段の制御を有さない。兵器の使用者は遠隔センサから、画像上に投影された、どこに予測着弾ＧＰが位置しているかを示すオーバーレイを含む画像を見ることができる。予測着弾ＧＰがカメラの視界外にある場合、画像の縁部にある矢印は、（ディスプレイ７３０に示すように）この画像に対して算出した着弾点がどの方向であるかを示している。このような実施形態では、使用者は兵器を動かして視界範囲内に予測着弾地点を配置させることができる、および／またはＵＡＶオペレータに対して予測着弾ＧＰが視界内となるように遠隔センサおよび／またはＵＡＶの向きを変えることを要求することができる。この実施形態では、受動制御モードでシステムを操作する兵器の使用者は画像の拡大制御を有し、予測着弾ＧＰの配置と操作を容易にすることが可能となる。受動制御の実施形態は、例えば、同一の遠隔カメラからの同一ディスプレイ画像を用いる２以上の兵器システムがあり、別個の兵器それぞれの照準を定めるように方向付ける場合に利用することができると理解されたい。予測着弾点の算出は、兵器において、画像の座標（ＣＦＯＶ、角部）が与えられた照準システムあるいは発射制御計算機を用いて行われるため、照準システムはいかなる情報も遠隔センサに送信する必要なく、使用者のディスプレイ画像を生成することができる。すなわち、受動モードでは、遠隔センサがＧＰに向かって方向付けられないため、遠隔カメラに予測着弾ＧＰを送信する必要はない。
【００４３】
図８は、受動制御センサ／ＵＡＶ制御を有する兵器照準システムの一実施形態のディスプレイを図示している。ディスプレイ８１０は、カメラの視界の外、すなわち、図示した画像の左上にある予測着弾ＧＰ  Ｂを示している。この場合、カメラはＧＰ  Ｂを視認するように未だ回転していないか、センサのジンバル取付台の傾き、および／または回転の限界といった要因によって回転することができないかの何れかである。一実施形態では、ディスプレイ８１０は、予測着弾ＧＰ  Ｂの位置に向かう方向を示す矢印Ｅあるいは他の記号を示している。こうして、使用者は、彼らが兵器の照準を合わせている場所の少なくとも概略表示を得ることが可能となる。ディスプレイ８２０は、ＣＦＯＶの左下に予測着弾ＧＰ  Ｂを示している。遠隔センサの制御が受動的であるため、ＧＰ  Ｂは、兵器を操作することによってディスプレイ８２０の画像内を移動することがきるが、センサはＣＦＯＶを移動させてＧＰ  Ｂと整列するように方向付けることはできない。ディスプレイ８３０および８４０は、ユーザがカメラの倍率変更、すなわち拡大や縮小それぞれの制御を有する実施形態を示している。
【００４４】
図９は、遠隔センサからの画像が兵器の使用者の視点、すなわち兵器の向きへと回転している、あるいは回転していない実施形態を示している。ディスプレイ９１０は、兵器の向きへと回転させた画像を図示しており、予測着弾ＧＰ  Ｂ、ＣＦＯＶ  Ｅ、および兵器の位置Ｇを示している。ディスプレイ９２０は、兵器の向きへと回転していない画像を図示しており、予測着弾ＧＰ  Ｂ、ＣＦＯＶ  Ｅ、および兵器の位置Ｇを示している。受動モードの一実施形態では、ディスプレイは、兵器の標的の向きへと、すなわち、兵器が向けられていない標的へとさらに回転させることができる。この場合、兵器の位置Ｇは未だにディスプレイの底部にあるが、予測着弾ＧＰ  ＢはＣＦＯＶにはない。
【００４５】
幾つかの実施形態では、このシステムは、複数の兵器および／または複数の遠隔センサの何れか、またはその両方を有しうる。複数の兵器の実施形態は、１つの遠隔センサからの同一の画像を表示し、各兵器システムが自身の予測着弾ＧＰを表示する２以上の兵器を有する。このようにして、幾つかの兵器は、同一または異なる標的に照準を定めるのに連携して協働することができる。これらの実施形態では、兵器の１つについては遠隔センサ／ＵＡＶの能動制御であり、その他については受動モードとすることができる。さらに、各兵器それぞれの照準装置はＵＡＶにその予測着弾ＧＰを提供し、遠隔センサが次いで、全ての兵器の全ての照準装置にメタデータにおけるそれぞれの兵器の予測着弾ＧＰを提供することができる。このように、照準装置それぞれについてメタデータがある場合には、メタデータを各兵器のディスプレイのオーバーレイに含めることができる。このメタデータは、兵器および／または兵器の位置についての識別子を含みうる。
【００４６】
図１０は兵器照準システムの一実施形態を示しており、当該システムは、１つの遠隔センサから画像を受信する複数の兵器を含むことができる。ＵＡＶ１００２は、画像境界１００６と画像角部１００８を有する標的地帯を視認するジンバルカメラ１００４を有することができる。画像中心はＣＦＯＶである。兵器１０１０は、ＣＦＯＶを有するディスプレイ１０１２上に示すような予測着弾ＧＰ１０１４を有している。兵器１０２０は、ＣＦＯＶを有するディスプレイ１０２２上に示すような予測着弾ＧＰ１０２４を有しうる。兵器１０３０は、ディスプレイ１０３２に示すような、ＣＦＯＶにおける予測着弾ＧＰ１０３４を有しうる。ＣＦＯＶは、兵器１０３０が遠隔センサ／ＵＡＶの能動制御モードにある実施形態では、ＧＰ１０３４に位置合わせすることができる。兵器１０４０は、ＣＦＯＶを有するディスプレイ１０４２上に示すような予測着弾ＧＰ１０４４を有する。各兵器の予測着弾ＧＰを他の兵器と、ＵＡＶを介して、あるいは直接的に共有する実施形態では、各兵器は他の兵器の予測着弾ＧＰを表示することができる。一実施形態では、ＵＡＶ１００２のオペレータは、ジンバルカメラ１００４から受信した画像を利用して、例えば、兵器１０１０、１０２０、１０３０、１０４０のセットのうち、どの兵器がそれぞれの予測着弾ＧＰ１０４４を考慮して標的と関連させるのに最適な位置にいる可能性があるかを特定することができる。
【００４７】
幾つかの実施形態では、最も効果的な兵器を、１つの遠隔センサから受信した画像、および任意で、弾薬に関連付けられた弾道テーブルに基づいて利用することができる。したがって、異なる兵器が標的や予測着弾ＧＰが常に絶え間なく変化する場合の標的に対して使用されうる場合に、動的な環境を作り出すことができる。この制御は火器オペレータ、ＵＡＶオペレータ、および／または制御司令官の間で動的に交代させることができ、各オペレータは兵器照準システムの異なる局面を担当することができる。すなわち、ＵＡＶまたは兵器の制御または指令は、あるオペレータから次のオペレータへと動的に変更することができる。さらに、このシステムは、ＵＡＶ上のセンサから受信した画像や指令制御に基づいて、異なる兵器を自動で命令し、複数の兵器を同期させることが可能である。
【００４８】
幾つかの実施形態では、１つの兵器が複数の遠隔センサを利用することができ、兵器ディスプレイは、予測着弾ＧＰを示している、ＧＰがオフスクリーンにある状態、あるいは複数の入力画像上でＧＰがある状態の何れかの遠隔センサからの画像を示すように自動的に切り替わり、予測着弾ＧＰに最も近い画像を表示する。この実施形態は、予測着弾ＧＰの最適な表示を利用する。代替的に、予測着弾ＧＰを表示する２以上の遠隔センサがある場合には、兵器の使用者は、表示される画像を切り換えることができる、あるいは、そのディスプレイに入力された各画像、例えば隣り合った表示を映し出すことができる。
【００４９】
図１１は、兵器１１０２が使用者によって操作されるシナリオを示しており、兵器の予測着弾ＧＰは、別個の遠隔センサによって観察されるような異なる領域を通過する。兵器ディスプレイは、兵器の予測ＧＰが画像内に位置している遠隔センサの画像へと自動的に切り換えることができる。兵器の予測着弾ＧＰ１１１０がＵＡＶ１の遠隔カメラの視認領域１１１２内にある場合は、ディスプレイはＵＡＶ１からのビデオ画像Ａを表示することができる。次に、図示のように兵器が右へと操作され、兵器の予測着弾ＧＰ１１２０がＵＡＶ２の遠隔カメラの視認領域１１２２内にある場合には、ディスプレイはＵＡＶ２からのビデオ画像Ｂを表示する。最後に、図示のように兵器が右へとさらに操作され、兵器の予測着弾ＧＰ１１３０がＵＡＶ３の遠隔カメラの視認領域１１３２内にある場合は、ディスプレイはＵＡＶ３からのビデオ画像Ｃを表示する。
【００５０】
図１２は、計算装置１２００の実施形態の例示的なトップレベル機能ブロック図を図示している。この例示的な動作環境は、中央処理装置（ＣＰＵ）のようなプロセッサ１２２４と、ルックアップテーブル、例えば配列のようなアドレス指定可能なメモリ１２２７と、例えば任意のユニバーサルシリアルバスポートおよび関連する処理、および／またはイーサネットポートおよび関連する処理のような外付けの装置インタフェース１２２６と、ウェブブラウザのような出力装置インタフェース１２２３と、アプリケーション処理カーネル１２２２と、例えば、ステータスライトのアレイ、および１以上のトグルスイッチ、および／またはディスプレイ、および／またはキーボード、ジョイスティック、トラックボール、または他の位置入力機器および／または、ポインタマウスシステム、および／またはタッチスクリーンのような任意のユーザインタフェース１２２９と、を有する計算装置１２２０、すなわちコンピュータとして図示されている。任意で、アドレス指定可能なメモリは、例えば、フラッシュメモリ、ＳＳＤ、ＥＰＲＯＭ、および／またはディスクドライブ、および／または他の記憶媒体とすることができる。これらの要素は、データバス１２２８を介して互いに通信することができる。任意のウェブブラウザとアプリケーションをサポートするような動作システム１２２５では、プロセッサ１２２４は、高度データを発射制御コントローラに提供するよう構成された慣性測定ユニット；アジマスデータを発射制御コントローラに提供することができる磁気コンパス；位置データを発射制御コントローラに提供するよう構成された全地球測位システム（ＧＰＳ）機器；および複数の兵器および関連する弾薬に関する弾道情報を有するデータストアと通信する発射制御コントローラのステップを実行するように構成することができ、発射制御コントローラは選択された兵器と関連する弾薬の予測着弾点を、記録されている弾道情報、提供された高度データ、提供されたアジマスデータ、および提供された位置データに基づいて算出する。一実施形態では、経路のクリアランスチェックを発射制御コントローラによって行うことができ、発射した場合に兵器の経路上に障害物が存在する、あるいは存在することになることをシステムが検出した場合には弾薬を発射しない機能を提供する。
【００５１】
上記実施形態の特定の特徴および態様について様々な組み合わせ、および／または半組み合わせをすることができると共に、これらは本発明の範囲内に収まることを意図している。したがって、開示された実施形態の様々な特徴および態様は、開示された発明の異なるモードを形成するために互いに組み合わせる、あるいは置換することができると理解されたい。さらに、本発明の範囲は例示として本書に開示されており、特に開示された上記実施形態に限定すべきものではないことを意図している。
【図１】
2019163928.tif 000003
【図２】
2019163928.tif 000004
【図３】
2019163928.tif 000005
【図４】
2019163928.tif 000006
【図５】
2019163928.tif 000007
【図６】
2019163928.tif 000008
【図７】
2019163928.tif 000009
【図８】
2019163928.tif 000010
【図９】
2019163928.tif 000011
【図１０】
2019163928.tif 000012
【図１１】
2019163928.tif 000013
【図１２】
2019163928.tif 000014
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
発射制御コントローラと、
前記発射制御コントローラと通信し、高度データを前記発射制御コントローラに提供するよう構成された慣性測定ユニットと、
前記発射制御コントローラと通信し、アジマスデータを前記発射制御コントローラに提供することができる磁気コンパスと、
前記発射制御コントローラと通信し、位置データを前記発射制御コントローラに提供するよう構成された航法ユニットと、
前記発射制御コントローラと通信し、複数の兵器および関連する弾薬に関する弾道情報を有するデータストアと、
を具える装置であって、
前記発射制御コントローラが、記憶された弾道情報、提供された前記高度データ、提供された前記アジマスデータ、および提供された前記位置データに基づいて、選択された兵器および関連する弾薬の予測着弾点を特定し、
前記発射制御コントローラは、特定された前記予測着弾点を含む情報を遠隔センサを収容する航空機上のセンサコントローラに送信して、前記航空機の前記遠隔センサの照準を方向付けることを特徴とする装置。
【請求項２】
請求項１に記載の装置において、前記発射制御コントローラは前記遠隔センサから画像メタデータを受信し、受信した画像メタデータが、前記遠隔センサの中心視野（ＣＦＯＶ）の地上位置を具え、前記ＣＦＯＶを特定した予測着弾点に向けることを特徴とする装置。
【請求項３】
請求項２に記載の装置において、
前記発射制御コントローラは、前記遠隔センサから受信した画像メタデータに基づいてアイコンオーバーレイを決定し、前記アイコンオーバーレイは前記ＣＦＯＶの位置および前記特定した予測着弾点を含むことを特徴とする装置。
【請求項４】
請求項１に記載の装置において、
前記発射制御コントローラは、特定の兵器に関する距離のさらなる予測に基づいて前記予測着弾点を特定し、前記距離は兵器弾薬の現在地と地上に着弾する地点との間の距離であることを特徴とする装置。
【請求項５】
請求項１に記載の装置において、
さらに、前記予測着弾点を特定するためにエリアの地形の視覚表示に関する情報を前記発射制御コントローラに提供するよう構成された地図データベースを具えることを特徴とする装置。
【請求項６】
請求項５に記載の装置において、
前記発射制御コントローラが、前記地図データベースの情報にさらに基づいて前記予測着弾点を特定することを特徴とする装置。
【請求項７】
請求項５に記載の装置において、
前記選択された兵器及び前記予測着弾点が異なる高度にあることを特徴とする装置。
【請求項８】
請求項１に記載の装置において、
さらに、前記発射制御コントローラが前記予測着弾点を特定するために、前記予測着弾点の周辺領域の環境状態に関する情報を提供するよう構成された環境状態測定器を具えることを特徴とする装置。
【請求項９】
請求項８に記載の装置において、
前記発射制御コントローラが前記環境状態情報にさらに基づいて前記予測着弾点を特定することを特徴とする装置。
【請求項１０】
請求項８に記載の装置において、
前記環境状態測定器によって提供される情報が、風速、空気密度及び温度のうちの１又はそれ以上を含むことを特徴とする装置。
【請求項１１】
請求項８に記載の装置において、
前記環境状態測定器によって提供される情報が、前記航空機によって提供される風速であることを特徴とする装置。
【請求項１２】
請求項１に記載の装置において、
前記発射制御コントローラが、さらに、電磁放射を送受信するよう構成された電磁放射送受信機と通信するように構成されることを特徴とする装置。
【請求項１３】
請求項１２に記載の装置において、
前記電磁放射送受信機が、無線周波数（ＲＦ）受信機とＲＦ送信機であることを特徴とする装置。
【請求項１４】
請求項１２に記載の装置において、
前記電磁放射送受信機が、さらに、前記遠隔センサから映像コンテンツ及び画像メタデータを受信するよう構成され、
前記遠隔センサが、前記遠隔センサを収容する航空機上のセンサコントローラの通信装置を介して前記画像メタデータを送信することを特徴とする装置。
【請求項１５】
請求項１４に記載の装置において、
前記電磁放射送受信機が、さらに、前記航空機の前記センサコントローラに情報を送信するよう構成されることを特徴とする装置。
【請求項１６】
請求項１４に記載の装置において、
前記航空機が無人航空機（ＵＡＶ）であることを特徴とする装置。
【請求項１７】
請求項１に記載の装置において、
前記遠隔センサが前記航空機に搭載されており、前記航空機が無人航空機（ＵＡＶ）であることを特徴とする装置。
【請求項１８】
請求項１に記載の装置において、
さらに、兵器位置、アジマス、高度、および弾薬の種類に基づいて前記予測着弾点を特定するよう構成される弾道範囲測定器を具えることを特徴とする装置。
【請求項１９】
請求項１に記載の装置において、
前記データストアが、ルックアップテーブル、１又はそれ以上のアルゴリズム、ルックアップテーブルと１又はそれ以上のアルゴリズムの組み合わせのうちの少なくとも１つを含むデータベースであることを特徴とする装置。
【請求項２０】
請求項１に記載の装置において、
前記発射制御コントローラが、触覚反応要素、電気機械放射反応要素及び電磁放射反応要素のうちの少なくとも１つを含むユーザインタフェースと通信することを特徴とする装置。
【請求項２１】
請求項２０に記載の装置において、
前記ユーザインタフェースが、前記ユーザインタフェースを介して一組の指令を受信して、前記発射制御コントローラに受信した前記一組の指令を送信するよう構成されることを特徴とする装置。
【請求項２２】
請求項１に記載の装置において、
さらに、前記ユーザインタフェースに生じる所定の活動を識別して記録選択するよう構成されたユーザインタフェース、及び、遠隔通信装置と通信する通信インタフェースのうちの少なくとも一方を有する指令作成要素を具えており、
前記遠隔通信装置が、センサコントローラを介して遠隔センサを方向付けるよう構成されており、
使用者が前記ユーザインタフェースで前記遠隔センサに対して予想した兵器照準位置に照準を定めることを要求することを特徴とする装置。
【請求項２３】
請求項２２に記載の装置において、
前記指令作成要素は、前記遠隔センサを収容する前記航空機と通信して指令を前記航空機に送信し、前記遠隔センサの視認範囲に兵器照準位置を維持し続けることを特徴とする装置。
【請求項２４】
請求項１に記載の装置において、
前記発射制御コントローラが前記遠隔センサから画像メタデータを受信し、
前記画像メタデータが、前記遠隔センサの視野（ＦＯＶ）の１又はそれ以上の角部の地上位置を含むことを特徴とする装置。
【請求項２５】
請求項１に記載の装置において、
前記発射制御コントローラが、さらに、前記予測着弾点周囲の誤差領域を特定することを特徴とする装置。
【請求項２６】
請求項２５に記載の装置において、
特定された前記誤差領域がディスプレイ上に表示されることを特徴とする装置。
【請求項２７】
請求項１に記載の装置において、
前記発射制御コントローラが、さらに、前記航空機上の前記遠隔センサを方向付けて、前記予測着弾点の画像を取り込むことを特徴とする装置。
【請求項２８】
請求項１に記載の装置において、
前記発射制御コントローラが、前記選択された兵器に脱着可能に取り付けられることを特徴とする装置。
【請求項２９】
請求項１に記載の装置において、
前記航法ユニットがＧＰＳであり、前記位置データが、前記選択された兵器の経度、前記選択された兵器の緯度、及び前記選択された兵器の高度のうちの少なくとも１つであることを特徴とする装置。